(57)【要約】【課題】  電力分配を調整する方法及びシステムを提供する。【解決手段】  電力分配を調整する方法は、基地局と複数のリモートトランシーバとの間に接続を構築することと、前記複数のリモートトランシーバのうちの１つ以上を介して、複数のエンドポイントとの複数の無線接続を構築することとを含む。当該方法はまた、前記複数のリモートトランシーバの各々に関して、該リモートトランシーバが無線信号を受信することができるエンドポイントごとに信号品質インジケーションを決定することを含む。当該方法は更に、前記複数のリモートトランシーバの各々に関して決定された信号品質インジケーションに基づいて、前記複数のリモートトランシーバに関する電力分配を決定することを含み、該電力分配は、各リモートトランシーバが無線通信を送信するときに各エンドポイントに対して使用すべき電力量を表す。【選択図】  図３
2011188497.tif 000002
【特許請求の範囲】
【請求項１】
基地局と複数のリモートトランシーバとの間に接続を構築するステップと、
前記複数のリモートトランシーバのうちの１つ以上を介して、複数のエンドポイントとの複数の無線接続を構築するステップと、
前記複数のリモートトランシーバの各々に関して、該リモートトランシーバが無線信号を受信することができるエンドポイントごとに信号品質インジケーションを決定するステップと、
前記複数のリモートトランシーバの各々に関して決定された信号品質インジケーションに基づいて、前記複数のリモートトランシーバに関する電力分配を決定するステップであり、該電力分配は、各リモートトランシーバが無線通信を送信するときに各エンドポイントに対して使用すべき電力量を表す、ステップと、
を有する電力分配を調整する方法。
【請求項２】
前記基地局と前記複数のリモートトランシーバとの間に前記接続を構築するステップは、前記基地局と前記複数のリモートトランシーバとの間にＣＰＲＩ接続を構築することを有する、請求項１に記載の方法。
【請求項３】
前記複数のエンドポイントに送信されるべきデータを有するコアデータに前記電力分配を適用することによって、増幅されたデータセットを生成するステップと、
前記増幅されたデータセット上で逆高速フーリエ変換を実行するステップと、
を更に有する請求項１又は２に記載の方法。
【請求項４】
前記電力分配を決定するステップは、相対的に良好な信号品質インジケーションを有する無線接続に対して電力の分配を増大することと、相対的に劣悪な信号品質インジケーションを有する無線接続に対して電力の分配を低減することとを有する、請求項１乃至３の何れか一項に記載の方法。
【請求項５】
前記複数のリモートトランシーバの各々から、前記信号品質インジケーションを決定するために使用される同相／直交（Ｉ／Ｑ）データを受信するステップと、
前記Ｉ／Ｑデータに最大比合成（ＭＲＣ）を適用して、前記複数のエンドポイントから送信されたコアデータを決定するステップと、
を更に有する請求項１乃至４の何れか一項に記載の方法。
【請求項６】
前記複数のリモートトランシーバの各々に関して：
前記複数のリモートトランシーバに送信されるべき複数のＣＰＲＩメッセージを生成するステップであり、各ＣＰＲＩメッセージが前記複数のリモートトランシーバのうちの異なる１つに関連付けられるステップと、
前記複数のエンドポイントに送信されるべきデータが前記決定された信号品質インジケーションに基づいて調整されたものとなるように、前記ＣＰＲＩメッセージにデータ投入するステップと、
前記複数のリモートトランシーバの各々に前記ＣＰＲＩメッセージを送信するステップと、
を更に有する請求項１乃至５の何れか一項に記載の方法。
【請求項７】
ソフトウェアを格納したコンピュータ読み取り可能記憶媒体であって、前記ソフトウェアは、プロセッサによって実行されるときにプロセッサに：
基地局と複数のリモートトランシーバとの間に接続を構築させ、
前記複数のリモートトランシーバのうちの１つ以上を介して、複数のエンドポイントとの複数の無線接続を構築させ、
前記複数のリモートトランシーバの各々に関して、該リモートトランシーバが無線信号を受信することができるエンドポイントごとに信号品質インジケーションを決定させ、且つ
前記複数のリモートトランシーバの各々に関して決定された信号品質インジケーションに基づいて、前記複数のリモートトランシーバに関する電力分配を決定させ、該電力分配は、各リモートトランシーバが無線通信を送信するときに各エンドポイントに対して使用すべき電力量を表す、
コンピュータ読み取り可能記憶媒体。
【請求項８】
インタフェースと、
前記インタフェースに結合されたプロセッサと、
を有する電力分配を調整するシステムであって：
前記インタフェースは：
基地局と複数のリモートトランシーバとの間に接続を構築し、且つ
前記複数のリモートトランシーバのうちの１つ以上を介して、複数のエンドポイントとの複数の無線接続を構築するように構成され、
前記プロセッサは：
前記複数のリモートトランシーバの各々に関して、該リモートトランシーバが無線信号を受信することができるエンドポイントごとに信号品質インジケーションを決定し、且つ
前記複数のリモートトランシーバの各々に関して決定された信号品質インジケーションに基づいて、前記複数のリモートトランシーバに関する電力分配を決定するように構成され、
前記電力分配は、各リモートトランシーバが無線通信を送信するときに各エンドポイントに対して使用すべき電力量を表す、
システム。
【発明の詳細な説明】
【技術分野】
【０００１】
本発明は、概して無線ネットワークに関し、より具体的には電力分配を実行するシステム及び方法に関する。
【背景技術】
【０００２】
分散アンテナシステムは、１つの基地局（無線エレメント制御部又はベースバンド装置としても知られる）と、１つ以上のリモートトランシーバ（無線エレメント又は遠隔無線ヘッドとしても知られる）とからなる。これらの構成要素はエンドポイントに無線ネットワークアクセスを提供する。様々なエンドポイント間での様々な無線伝送を区別することにおいて分散アンテナシステムを支援するため、各エンドポイントは、自身に割り当てられた１つ以上の固有の副搬送波を有し得る。
【０００３】
分散アンテナシステムにおいては、複数のリモートトランシーバが様々な位置に分布し、基地局に有線接続（例えば、光ファイバ）を介して接続される。複数のリモートトランシーバが存在し得るが、１つのエンドポイントから見ると、実体としては１つの基地局が存在するのみである。すなわち、各リモートトランシーバが本質的に同一のコアデータを送信し、エンドポイントが、複数のリモートトランシーバからの複数の信号を単一の通信へと結合する。
【０００４】
基地局は、例えばＣＰＲＩ（Common  Public  Radio  Interface）規格を用いて、リモートトランシーバと通信する。ＣＰＲＩ規格は、基地局からリモートトランシーバに同相（in-phase）／直交（quadrature）（Ｉ／Ｑ）データが伝送されることを可能にする。リモートトランシーバは、Ｉ／Ｑデータを用いて、自身に接続された何れのエンドポイントにも送信される送信信号を形成する。リモートトランシーバはまた、ＣＰＲＩ規格を用いて基地局と通信することができる。これは、リモートトランシーバが基地局に、エンドポイントから受信したデータを中継するとともに、例えば信号品質などの制御情報を通信することを可能にする。
【発明の概要】
【発明が解決しようとする課題】
【０００５】
電力分配を調整するためのシステム及び方法を提供する。
【課題を解決するための手段】
【０００６】
特定の一実施形態によれば、電力分配を調整する方法は、基地局と複数のリモートトランシーバとの間に接続を構築することと、前記複数のリモートトランシーバのうちの１つ以上を介して、複数のエンドポイントとの複数の無線接続を構築することとを含む。当該方法はまた、前記複数のリモートトランシーバの各々に関して、該リモートトランシーバが無線信号を受信することができるエンドポイントごとに信号品質インジケーションを決定することを含む。当該方法は更に、前記複数のリモートトランシーバの各々に関して決定された信号品質インジケーションに基づいて、前記複数のリモートトランシーバに関する電力分配を決定することを含み、該電力分配は、各リモートトランシーバが無線通信を送信するときに各エンドポイントに対して使用すべき電力量を表す。
【発明の効果】
【０００７】
特定の実施形態の技術的利点には、分散アンテナシステムのアップリンク及びダウンリンクの容量が増大されることが含まれ得る。特定の実施形態の他の技術的利点は、電力分配を決定するときに、詳細なチャネル状態情報（channel  state  information；ＣＳＩ）が殆ど、あるいは全く必要とされなくなり得ることである。特定の実施形態の更なる他の技術的利点は、複数の異なるリモートトランシーバにおいて、リモートトランシーバ固有の基準信号が適用させずに、全てのリモートトランシーバによって同じ基準信号が送信されることである（例えば、エンドポイントは、全リモートトランシーバを単一の基地局として見る）。図面、以下の説明及び特許請求の範囲から、その他の技術的利点が当業者に明らかになるであろう。また、複数の具体的な利点を以上にて列挙したが、個々の実施形態は、列挙した技術的利点の全て又は一部を含むこともあるし、それら技術的利点を含まないこともある。
【図面の簡単な説明】
【０００８】
特定の実施形態及びその利点の、より十分な理解のため、以下の詳細な説明とともに、下記の図を含む添付図面を参照する。
【図１】特定の一実施形態に係る基地局と複数のリモートトランシーバとを有する分散アンテナシステムを例示する図である。
【図２】特定の一実施形態に係る分散アンテナシステム内の基地局及びリモートトランシーバを詳細に示すブロック図である。
【図３】特定の一実施形態に係る電力分配を実行する方法を例示する図である。
【発明を実施するための形態】
【０００９】
図１は、特定の一実施形態に係る基地局と複数のリモートトランシーバとを有する分散アンテナシステムを例示している。分散アンテナシステム１００は、基地局１１０と複数のリモートトランシーバ１２０とを有している。リモートトランシーバ１２０によって、様々なパワーレベルで無線通信が送信され得る。特定のリモートトランシーバ（例えば、リモートトランシーバ１２０ｄ）から特定のエンドポイント（例えば、エンドポイント１４０ｃ）への特定の送信は、１つ以上の副搬送波を有し、該特定の送信のパワー（電力）は、該特定のエンドポイントと該特定のリモートトランシーバとの間の信号品質に依存し得る。各リモートトランシーバにおける各副搬送波の送信パワーは、標準パワーレベルより大きくも小さくもなり得る。標準パワーレベルは、副搬送波同士の間での均等な電力分配に基づき得る（例えば、全ての送信が同一のパワーで送信される）。各リモートトランシーバ１２０において各エンドポイント１４０に対する送信パワーを増大あるいは低減することは、全ての副搬送波にわたって均等なパワーを用いるシステムと比較して、分散アンテナシステム１００の容量（キャパシティ）を増大させ得る。
【００１０】
分散アンテナシステム１００は、基地局１１０を介してネットワーク１３０に結合され得る。分散アンテナシステム１００は、エンドポイント１４０に対して、広い地理的領域に及ぶ無線カバレッジを提供する。例えば、単一の基地局（例えば、基地局１１０）及び複数のリモートトランシーバ（例えば、リモートトランシーバ１２０）は、建造物全体の無線カバレッジを提供するように使用され得る。リモートトランシーバ１２０は、或る地理的領域にわたって分布しているため、或るエンドポイントと各リモートトランシーバ１２０との間の距離は異なり得る。特定の実施形態において、或るエンドポイントと或るリモートトランシーバとの間の信号品質は、該エンドポイントが該リモートトランシーバに近付くにつれて概して高まり得る。特定の実施形態は、より良好な品質を有する信号に関連付けられた副搬送波に関して送信パワーを増大させることによって、高められた信号品質を利用し得る。リモートトランシーバは有限量の送信パワーを有するので、特定の副搬送波のパワーの増大は、それに対応して別の副搬送波のパワーを低減することによって調和され得る。
【００１１】
実施形態に応じて、分散アンテナシステム１００は、リモートトランシーバ１２０とエンドポイント１４０との間での通信に、多様な無線技術又はプロトコル（例えば、ＩＥＥＥ  ８０２．１６ｍ若しくは８０２．１６ｅ、又はロング・ターム・エボリューション（ＬＴＥ））のうちの何れを用いてもよい。複数のリモートトランシーバ１２０は、エンドポイント１４０に対して、基地局１１０の拡張である単一のエンティティとして現れる。故に、各リモートトランシーバ１２０は、同一のコアデータをエンドポイント１４０に送信しようとするとともに、潜在的に、同一のデータをエンドポイント１４０から受信し得る。送信あるいは受信されるデータにおける差異は、特定のエンドポイントから各リモートトランシーバ１２０までのそれぞれの距離と、更に詳細に後述するように、各リモートトランシーバで各副搬送波に与えられる電力量とに由来し得る。
【００１２】
実施形態に応じて、分散アンテナシステム１００は、リモートトランシーバ１２０と基地局１１０との間での通信に、多様な異なる有線技術又はプロトコル（例えば、ＣＰＲＩ）のうちの何れを用いてもよい。特定の実施形態において、基地局１１０は、直接的（例えば、リモートトランシーバに送信されるＩ／Ｑサンプルに電力分配を組み込む）あるいは間接的（例えば、リモートトランシーバがそれぞれの電力分配を決定する基となる電力分配値を各リモートトランシーバに提供する）の何れかで、各リモートトランシーバがその送信に適用するパワーを調整するように構成され得る。特定のリモートトランシーバにおける（特定のエンドポイントに関連付けられた）特定の副搬送波の送信パワーを選択的に増大あるいは低減することにより、基地局１１０は、利用可能な無線リソースを一層効率的に使用することができる。
【００１３】
実施形態に応じて、基地局１１０は、様々なリモートトランシーバからの信号品質情報を用いて、各リモートトランシーバ１２０の各副搬送波に対する電力分配を決定し得る。信号品質情報は、受信されたアップリンク電力強度、使用可能な最大の変調・コーディング方式（modulation  and  coding  scheme；ＭＣＳ）レベル、無線接続の搬送波対干渉＋雑音比（Carrier  to  Interference-plus-Noise  Ratio；ＣＩＮＲ）を含み得る。特定の実施形態において、エンドポイント１４０とリモートトランシーバ１２０との間でのチャネル利得及び干渉強度を見積もるために、アップリンク・サウンディングが使用され得る。
【００１４】
ネットワーク１３０は、信号、データ及び／又はメッセージを伝送することが可能な何れのネットワーク又はそのようなネットワークの何れの組み合わせであってもよい。上記信号、データ及び／又はメッセージは、ウェブページ、電子メール、テキストチャット、ＶｏＩＰ（voice  over  IP）、及びインスタント・メッセージにより送信される信号、データ又はメッセージを含む。ネットワーク１３０は、１つ以上のＬＡＮ、ＷＡＮ、ＭＡＮ、ＰＳＴＮ、ＷｉＭＡＸネットワーク、例えばインターネットなどの地球規模で分布したネットワーク、イントラネット、エクストラネット、又はその他の形態の無線若しくは有線ネットワークを含み得る。ネットワーク１３０は、有線通信又は無線通信のための多様なプロトコルのうちの何れを用いてもよい。
【００１５】
基地局１１０は、分散アンテナシステム１００における無線パケット交換を可能にする任意の数の無線プロトコルを実装する、ハードウェア、コンピュータ読み取り可能媒体に埋め込まれたソフトウェア、及び／又は、ハードウェアに組み込まれた、あるいはその他の方法で格納された符号化ロジック（例えば、ファームウェア）を含み得る。基地局１１０は、各リモートトランシーバ１２０への電力の分配を決定して電力分配を行うように構成され得る。実施形態に応じて、基地局１１０は、送信のためにリモートトランシーバに送られる前のデータに電力分配を適用し得る。あるいは、基地局１１０は、各リモートトランシーバ１２０が個別に電力分配を適用することを可能にしてもよい。
【００１６】
リモートトランシーバ１２０は、分散アンテナシステム１００におけるエンドポイント１４０との無線パケット交換を可能にする任意の数の無線プロトコルを実装する、ハードウェア、コンピュータ読み取り可能媒体に埋め込まれたソフトウェア、及び／又は、ハードウェアに組み込まれた、あるいはその他の方法で格納された符号化ロジック（例えば、ファームウェア）を含み得る。一部の実施形態において、リモートトランシーバ１２０は基地局１１０から、基地局１１０によって為された電力分配の決定を既に含み得るデータを受信する。特定の実施形態において、各リモートトランシーバ１２０は、基地局１１０から受信したコアデータの送信パワーを調整し得る。この調整は、基地局１１０から送信される１つ以上の制御信号に基づいて行われ得る。制御信号は、それぞれのリモートトランシーバ１２０における各副搬送波又は複数の副搬送波の送信パワーを指定する。
【００１７】
エンドポイント１４０は、リモートトランシーバ１２０を介して基地局１１０との間でデータ及び／又は信号の送信及び受信を行うことが可能な如何なる種類の無線装置を有していてもよい。一部の取り得る種類のエンドポイント１４０は、デスクトップコンピュータ、ＰＤＡ、携帯電話、ラップトップコンピュータ、及び／又はＶｏＩＰ電話を含み得る。エンドポイント１４０は、ハードウェア、コンピュータ読み取り可能媒体に埋め込まれたソフトウェア、及び／又は、ハードウェアに組み込まれた、あるいはその他の方法で格納された符号化ロジック（例えば、ファームウェア）の何らかの組み合わせにより、ユーザにデータ又はネットワークサービスを提供し得る。エンドポイント１４０はまた、データ及び／又は信号を送信あるいは受信することが可能な、無人システム若しくは自動化システム、ゲートウェイ、その他の中間構成要素、又はその他の装置を含んでいてもよい。
【００１８】
以下の例は、特定の実施形態の例示的な特定の特徴に役立ち得るものである。この例のため、基地局１１０はリモートトランシーバ１２０ａ及び１２０ｄという２つのリモートトランシーバのみを制御すると仮定する。また、エンドポイント１４０ｃ及び１４０ｅはともに、リモートトランシーバ１２０ａ及び１２０ｄによりサービス提供される領域内に位置すると仮定する。状況を単純化するため、基地局１１０におけるスケジューリングアルゴリズムが、エンドポイント１４０ｃ及び１４０ｅの各々に、フレームあたり同一数の副搬送波を割り当てると仮定する。さらに、リモートトランシーバ１２０ａとエンドポイント１４０ｃとの間のチャネル利得の大きさが、リモートトランシーバ１２０ａとエンドポイント１４０ｅとの間のそれの２倍であり；且つリモートトランシーバ１２０ｄとエンドポイント１４０ｅとの間のチャネル利得の大きさが、リモートトランシーバ１２０ｄとエンドポイント１４０ｃとの間のそれの２倍であると仮定する。このとき、これらの仮定に基づき、基地局１１０は、リモートトランシーバ１２０ａのパワーのうち、２／３をエンドポイント１４０ｃによって使用される副搬送波に、そして、１／３をエンドポイント１４０ｅによって使用される副搬送波に割り当て得る（標準的な分散アンテナシステムの均等な１／２及び１／２の分配とは異なる）。同様に、基地局１１０は、リモートトランシーバ１２０ｄのパワーのうち、２／３をエンドポイント１４０ｅによって使用される副搬送波に、そして、１／３をエンドポイント１４０ｃによって使用される副搬送波に割り当て得る。
【００１９】
図１は特定の数及び構成のエンドポイント、接続、リンク及びノードを示しているが、分散アンテナシステム１００は、データを通信するために、如何なる数又は構成のこれら構成要素をも意図するものである。また、分散アンテナシステム１００の要素は、互いに対して集中的に配置された（ローカル）要素、又は分散アンテナシステム１００の全体にわたって分散された要素を含み得る。
【００２０】
図２は、特定の一実施形態に係る分散アンテナシステム内の基地局及びリモートトランシーバを詳細に示すブロック図である。分散アンテナシステム２００は、以下に限られないが直交周波数分割多元アクセス（ＯＦＤＭＡ）、例えばＬＴＥ−Ａ及び８０２．１６ｍなどの次世代無線システムを含む多様な異なる無線技術のうちの何れとともに用いられてもよい。
【００２１】
分散アンテナシステム２００は、基地局２１０とリモートトランシーバ２２０とを含んでいる。基地局２１０及びリモートトランシーバ２２０は各々、１つ以上のコンピュータシステムの１つ以上の部分を含み得る。特定の実施形態において、これらのコンピュータシステムのうちの１つ以上が、ここに記載あるいは図示する１つ以上の方法の１つ以上のステップを実行し得る。特定の実施形態において、１つ以上のコンピュータシステムが、ここに記載あるいは図示する機能を提供し得る。特定の実施形態において、１つ以上のコンピュータシステム上で起動される符号化ソフトウェアが、ここに記載あるいは図示する１つ以上の方法の１つ以上のステップを実行してもよいし、ここに記載あるいは図示する機能を提供してもよい。
【００２２】
基地局２１０及びリモートトランシーバ２２０の構成要素は、如何なる好適な物理形態、構成、数、種類及び／又はレイアウトを有していてもよい。一例として、限定としてではなく、基地局２１０及び／又はリモートトランシーバ２２０は、組込型コンピュータシステム、システム・オン・チップ（ＳＯＣ）、シングルボード・コンピュータシステム（ＳＢＣ）（例えば、コンピュータ・オン・モジュール（ＣＯＭ）若しくはシステム・オン・モジュール（ＳＯＭ）など）、デスクトップコンピュータシステム、ラップトップ型又はノート型のコンピュータシステム、対話式キオスク端末、メインフレーム、メッシュ状コンピュータシステム、携帯電話、携帯情報端末（ＰＤＡ）、サーバ、又はこれらの２つ以上の組み合わせを有し得る。必要に応じて、基地局２１０及び／又はリモートトランシーバ２２０は、単一あるいは分散型の；複数の位置にまたがる；複数の機械にまたがる；あるいはクラウド（１つ以上のネットワーク内に１つ以上のクラウド要素を含み得る）内の；１つ以上のコンピュータシステムを含んでいてもよい。
【００２３】
必要に応じて、分散アンテナシステム２００は、ここに記載あるいは図示する１つ以上の方法の１つ以上のステップを、空間的あるいは時間的な実質的な制約なく実行し得る。一例として、限定としてではなく、分散アンテナシステム２００は、ここに記載あるいは図示する１つ以上の方法の１つ以上のステップを、リアルタイムあるいはバッチモードで実行し得る。必要に応じて、１つ以上の分散アンテナシステムが、相異なる時点で、あるいは相異なる位置で、ここに記載あるいは図示する１つ以上の方法の１つ以上のステップを実行してもよい。
【００２４】
図示した実施形態において、基地局２１０及びリモートトランシーバ２２０は各々、それぞれ、それ自身のプロセッサ２１１及び２２１、メモリ２１３及び２２３、ストレージ２１５及び２２５、インタフェース２１７及び２２７、及びバス２１２及び２２２を含んでいる。これらの構成要素は協働して、各リモートトランシーバ２２０における各エンドポイントに対する電力分配が、各リモートトランシーバにおける各エンドポイントに対する相対的な信号品質に基づいて分配される分散アンテナシステムを実現する。特定の構成にされた特定数の特定の構成要素を有する特定の分散アンテナシステムを図示したが、本開示は、如何なる好適配置にされた如何なる好適数の如何なる好適構成要素を有する如何なる好適な分散アンテナシステム２００をも意図するものである。便宜上、リモートトランシーバ２２０の構成要素を括弧書きで示して、基地局２１０及びリモートトランシーバ２２０の同様の構成要素を一緒に説明する。しかしながら、必ずしも、双方の装置が同一の構成要素、又は同一種類の構成要素を有するわけではない。例えば、プロセッサ２１１が汎用マイクロプロセッサである一方で、プロセッサ２２１は特定用途向け集積回路（ＡＳＩＣ）であってもよい。
【００２５】
プロセッサ２１１（及び／又は２２１）は、単独で、あるいはその他の構成要素（例えば、メモリ２１３（及び／又は２２３））とともに、の何れかで無線ネットワーク機能を提供するよう動作可能な、マイクロプロセッサ、コントローラ、又はその他の好適な演算装置、リソースとし得る。プロセッサ２１１（及び／又は２２１）はまた、そのように動作可能な、ハードウェア、ソフトウェア及び／又は符号化ロジックとし得る。該機能は、ここで説明する様々な無線機能を提供することを含み得る。例えば、プロセッサ２１１は、各リモートトランシーバ２２０における各副搬送波にどのようにパワーを割り当てるかを決定し得る。少なくとも部分的にプロセッサ２１１（及び／又は２２１）によって提供される更なる例及び機能を、以下にて説明する。
【００２６】
特定の実施形態において、プロセッサ２１１（及び／又は２２１）は、例えばコンピュータプログラムを構築する命令などの命令を実行するハードウェアを含み得る。一例として、限定としてではなく、命令を実行するために、プロセッサ２１１（及び／又は２２１）は、内部レジスタ、内部キャッシュ、メモリ２１３（及び／又は２２３）、又はストレージ２１５（及び／又は２２５）から命令を取り出し（すなわち、フェッチし）；それを復号化して実行し；その後、１つ以上の結果を内部レジスタ、内部キャッシュ、メモリ２１３（及び／又は２２３）、又はストレージ２１５（及び／又は２２５）に書き込み得る。
【００２７】
特定の実施形態において、プロセッサ２１１（及び／又は２２１）は、データ、命令又はアドレス用の１つ以上の内部キャッシュを含み得る。プロセッサ２１１（及び／又は２２１）が必要に応じて、如何なる好適数の如何なる好適な内部キャッシュを含むことも、本開示によって意図される。一例として、限定としてではなく、プロセッサ２１１（及び／又は２２１）は、１つ以上の命令キャッシュと、１つ以上のデータキャッシュと、１つ以上のトランスレーション・ルックアサイド・バッファ（ＴＬＢ）とを含み得る。命令キャッシュ内の命令は、メモリ２１３（及び／又は２２３）又はストレージ２１５（及び／又は２２５）内の命令の複製としてもよく、命令キャッシュは、プロセッサ２１１（及び／又は２２１）によるこれら命令の取り出しを高速化し得る。データキャッシュ内のデータは、メモリ２１３（及び／又は２２３）又はストレージ２１５（及び／又は２２５）内の、プロセッサ２１１（及び／又は２２１）にて実行されている命令が処理すべきデータの複製；プロセッサ２１１（及び／又は２２１）にて実行される後続の命令によるアクセスのための、あるいはメモリ２１３（及び／又は２２３）又はストレージ２１５（及び／又は２２５）に書き込むための、プロセッサ２１１（及び／又は２２１）にて実行された以前の命令の結果；又はその他の好適データとし得る。データキャッシュは、プロセッサ２１１（及び／又は２２１）による読み出し処理又は書き込み処理を高速化し得る。ＴＬＢは、プロセッサ２１１（及び／又は２２１）のために仮想アドレス変換を高速化し得る。特定の実施形態において、プロセッサ２１１（及び／又は２２１）は、データ、命令又はアドレス用の１つ以上の内部レジスタを含み得る。実施形態に応じて、プロセッサ２１１（及び／又は２２１）は適宜、如何なる好適数の如何なる好適な内部レジスタを含んでいてもよい。必要に応じて、プロセッサ２１１（及び／又は２２１）は、１つ以上の演算ロジックユニットを含んでいてもよく；マルチコアプロセッサであってもよく；１つ以上のプロセッサ２１１（及び／又は２２１）を含んでいてもよく；あるいはその他の好適なプロセッサであってもよい。
【００２８】
メモリ２１３（及び／又は２２３）は、如何なる形態の揮発性あるいは不揮発性のメモリであってもよく、限定されるものではないが、磁気媒体、光媒体、ランダムアクセスメモリ（ＲＡＭ）、読み出し専用メモリ（ＲＯＭ）、フラッシュメモリ、取り外し可能媒体、又はその他の好適なローカルあるいは遠隔の１つ以上のメモリ要素を含み得る。メモリ２１３（及び／又は２２３）は、基地局２１０（及び／又はリモートトランシーバ２２０）によって使用される如何なる好適なデータ又は情報を格納してもよい。そのようなデータ又は情報は、コンピュータ読み取り可能媒体に埋め込まれたソフトウェア、及び／又はハードウェアに組み込まれた、あるいはその他の方法で格納された符号化ロジック（例えば、ファームウェア）を含む。特定の実施形態において、メモリ２１３（及び／又は２２３）は、プロセッサ２１１（及び／又は２２１）が実行する命令、又はプロセッサ２１１（及び／又は２２１）が処理するデータを格納するメインメモリを含み得る。一例として、限定としてではなく、基地局２１０はストレージ２１５（及び／又は２２５）又は別のソース（例えば、別のコンピュータシステム、別の基地局、又はリモートトランシーバなど）からメモリ２１３（及び／又は２２３）に命令をロードし得る。その後、プロセッサ２１１（及び／又は２２１）は、メモリ２１３（及び／又は２２３）から内部レジスタ又は内部キャッシュに命令をロードし得る。命令を実行するため、プロセッサ２１１（及び／又は２２１）は、内部レジスタ又は内部キャッシュから命令を取り出し、取り出した命令を復号化する。命令の実行中又は実行後、プロセッサ２１１（及び／又は２２１）は、１つ以上の結果（中間結果又は最終結果）を内部レジスタ又は内部キャッシュに書き込み得る。そして、プロセッサ２１１（及び／又は２２１）は、それらの結果のうちの１つ以上をメモリ２１３（及び／又は２２３）に書き込み得る。特定の実施形態において、プロセッサ２１１（及び／又は２２１）は、１つ以上の内部レジスタ若しくは内部キャッシュ又はメモリ２１３（及び／又は２２３）内の命令のみを実行してもよく（ストレージ２１５（及び／又は２２５）又はその他の場所の命令を実行するのとは異なる）、また、１つ以上の内部レジスタ若しくは内部キャッシュ又はメモリ２１３（及び／又は２２３）内のデータのみを処理してもよい（ストレージ２１５（及び／又は２２５）又はその他の場所のデータを処理するのとは異なる）。
【００２９】
バス２１２（及び／又は２２２）は、基地局２１０（及び／又はリモートトランシーバ２２０）の構成要素を相互に結合するための、ハードウェア、コンピュータ読み取り可能媒体に埋め込まれたソフトウェア、及び／又はハードウェアに組み込まれた、あるいはその他の方法で格納された符号化ロジック（例えば、ファームウェア）の如何なる組み合わせを含んでいてもよい。一例として、限定としてではなく、バス２１２（及び／又は２２２）は、アクセラレーテッド・グラフィクス・ポート（ＡＧＰ）若しくはその他のグラフィック専用バス、ＥＩＳＡ（Extended  Industry  Standard  Architecture）バス、フロントサイドバス（ＦＳＢ）、ハイパートランスポート（ＨＴ）インターコネクト、業界標準アーキテクチャ（ＩＳＡ）バス、インフィニバンド・インターコネクト、ＬＰＣ（low-pin-count）バス、メモリバス、マイクロ・チャネル・アーキテクチャ（ＭＣＡ）バス、コンピュータ用拡張バスアーキテクチャ（ＰＣＩ）バス、ＰＣＩエクスプレス（ＰＣＩ−Ｘ）バス、シリアルＡＴＡ（ＳＡＴＡ）バス、ＶＬＢ（Video  Electronics  Standards  Association  local）バス、その他の好適なバス、又はこれらの２つ以上の組み合わせを含み得る。バス２１２（及び／又は２２２）は、必要に応じて、如何なる数、種類及び／又は構成のバス２１２（及び／又は２２２）をも含み得る。特定の実施形態において、１つ以上のバス２１２（各々がアドレスバス及びデータバスを含み得る）が、プロセッサ２１１（及び／又は２２１）をメモリ２１３（及び／又は２２３）に結合してもよい。バス２１２（及び／又は２２２）は、後述のように、１つ以上のメモリバスを含み得る。特定の実施形態において、１つ以上のメモリ管理装置（ＭＭＵ）が、プロセッサ２１１（及び／又は２２１）とメモリ２１３（及び／又は２２３）との間に存在し、プロセッサ２１１（及び／又は２２１）により要求されるメモリ２１３（及び／又は２２３）へのアクセスを容易にし得る。特定の実施形態において、メモリ２１３（及び／又は２２３）は、ランダムアクセスメモリ（ＲＡＭ）を含み得る。このＲＡＭは、適当であれば、揮発名メモリであってもよい。必要に応じて、このＲＡＭはダイナミックＲＡＭ（ＤＲＡＭ）又はスタティックＲＡＭ（ＳＲＡＭ）にされ得る。また、必要に応じて、このＲＡＭは、シングルポート又はマルチポートのＲＡＭ、又はその他の好適な種類のＲＡＭ若しくはメモリにされ得る。メモリ２１３（及び／又は２２３）は、必要に応じて、１つ以上のメモリ２１３（及び／又は２２３）を含んでいてもよい。
【００３０】
特定の実施形態において、ストレージ２１５（及び／又は２２５）は、データ又は命令用の大容量記憶装置を含み得る。一例として、限定としてではなく、ストレージ２１５（及び／又は２２５）は、ＨＤＤ、フロッピーディスク（登録商標）ドライブ、フラッシュメモリ、光ディスク、磁気光ディスク、磁気テープ、若しくはユニバーサル・シリアル・バス（ＵＳＢ）ドライブ、又はこれらの２つ以上の組み合わせを含み得る。ストレージ２１５（及び／又は２２５）は、必要に応じて、リムーバブル（取り外し可能）あるいは非リムーバブル（すなわち、固定）のメディアを含み得る。ストレージ２１５（及び／又は２２５）は、必要に応じて、基地局２１０（及び／又はリモートトランシーバ２２０）の内部にあってもよいし、外部にあってもよい。特定の実施形態において、ストレージ２１５（及び／又は２２５）は、不揮発性のソリッドステートメモリとされ得る。特定の実施形態において、ストレージ２１５（及び／又は２２５）は、読み出し専用メモリ（ＲＯＭ）を含み得る。必要に応じて、このＲＯＭは、マスクプログラムされたＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的消去再書込可能（ＥＡＲＯＭ）、若しくはフラッシュメモリ、又はこれらの２つ以上の組み合わせとし得る。ストレージ２１５（及び／又は２２５）は、如何なる好適な物理形態を有していてもよく、また、如何なる好適な数又は種類のストレージを有していてもよい。ストレージ２１５（及び／又は２２５）は、必要に応じて、プロセッサ２１１（及び／又は２２１）とストレージ２１５（及び／又は２２５）との間での通信を容易にする１つ以上のストレージ制御装置を含み得る。
【００３１】
特定の実施形態において、インタフェース２１７（及び／又は２２７）は、基地局２１０、リモートトランシーバ２２０、基地局２１０によってサービス提供されるエンドポイント（図示せず）、ネットワーク、ネットワーク装置、及び／又はその他のコンピュータシステムの間での通信（例えば、パケットベースの通信など）のための１つ以上のインタフェースを提供するハードウェア、符号化ソフトウェア、又はこれら双方を含み得る。一例として、限定としてではなく、通信インタフェース２１７（及び／又は２２７）は、イーサネット(登録商標)若しくはその他のワイヤベースのネットワークと通信するためのネットワークインタフェースコントローラ（ＮＩＣ）若しくはネットワークアダプタ、及び／又は無線ネットワークと通信するための無線ＮＩＣ（ＷＮＩＣ）若しくは無線アダプタを含み得る。
【００３２】
一部の実施形態において、インタフェース２１７（及び／又は２２７）は、１つ以上のアンテナに結合された１つ以上の無線機を有し得る。そのような一実施形態において、インタフェース２１７（及び／又は２２７）は、無線接続を介して、エンドポイント等の無線装置へと送出されるべきデジタルデータを受信し得る。無線機は、デジタルデータを、適当な中心周波数、帯域幅パラメータ及び送信パワーを有する無線信号に変換し得る。この無線信号に対する電力分配は、基地局２１０で各副搬送波に対して決定且つ適用されていてもよいし、基地局２１０で決定されて、リモートトランシーバ２２０によって適用されてもよい。同様に、無線機は、アンテナを介して受信した無線信号を、例えばプロセッサ２１１（及び／又は２２１）によって処理されるデジタル信号に変換し得る。一部の実施形態において、基地局２１０は該データを：各リモートトランシーバ２２０からの個々の到来Ｉ／ＱサンプルにＭＲＣを適用すること；各リモートトランシーバ２２０における各副搬送波の平均受信パワーを決定すること；各リモートトランシーバ２２０の各副搬送波に送信パワーを割り当てること；及びエンドポイントに送信されるべきデータに電力増幅と逆高速フーリエ変換とを実行することによって処理し得る。一部の実施形態において、データを処理することは、リモートトランシーバ２２０にて、各副搬送波の平均受信パワーを決定することと、エンドポイントからのデータを、上流のリモートトランシーバによって提供された同一エンドポイントからのデータと結合することとを有し得る。その後、基地局２１０にて、各リモートトランシーバ２００の各副搬送波に対して電力分配が決定される。
【００３３】
実施形態に応じて、インタフェース２１７（及び／又は２２７）は、分散アンテナシステム２００が使用されるネットワークの種類に適した如何なる種類のインタフェースであってもよい。一例として、限定としてではなく、分散アンテナシステム２００は、アドホックネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、若しくはインターネットの１つ以上の部分、又はこれらの２つ以上の組み合わせと通信し得る。これらのネットワークのうちの１つ以上の１つ以上の部分は、有線であってもよいし、無線であってもよい。一例として、分散アンテナシステム２００は、無線ＰＡＮ（ＷＰＡＮ）（例えば、ブルートゥースＷＰＡＮなど）、Ｗｉ−Ｆｉネットワーク、Ｗｉ−ＭＡＸネットワーク、ＬＴＥネットワーク、ＬＴＥ−Ａネットワーク、携帯電話ネットワーク（例えば、グローバル・システム・フォー・モバイル・コミュニケーションズ（ＧＳＭ）ネットワークなど）、若しくはその他の好適な無線ネットワーク、又はこれらの２つ以上の組み合わせと通信し得る。基地局２１０（及び／又はリモートトランシーバ２２０）は、必要に応じて、これらのネットワークのうちの１つ以上に好適な如何なるインタフェース２１７（及び／又は２２７）を含んでいてもよい。
【００３４】
一部の実施形態において、インタフェース２１７（及び／又は２２７）は、１つ以上のＩ／Ｏ装置に対する１つ以上のインタフェースを含んでいてもよい。これらのＩ／Ｏ装置のうちの１つ以上は、個人と基地局２１０（及び／又はリモートトランシーバ２２０）との間での通信を可能にし得る。一例として、限定としてではなく、Ｉ／Ｏ装置は、キーボード、キーパッド、マイク、モニタ、マウス、プリンタ、スキャナ、スピーカ、スチルカメラ、スタイラスペン、タブレット、タッチスクリーン、トラックボール、ビデオカメラ、その他の好適なＩ／Ｏ装置、又はこれらの２つ以上の組み合わせを含み得る。Ｉ／Ｏ装置は、１つ以上のセンサを含んでいてもよい。特定の実施形態は、如何なる好適な種類及び／又は数のＩ／Ｏ装置と、それ用の如何なる好適な種類及び／又は数のインタフェース２１７（及び／又は２２７）とを含んでいてもよい。必要に応じて、インタフェース２１７（及び／又は２２７）は、プロセッサ２１１（及び／又は２２１）がこれらのＩ／Ｏ装置のうちの１つ以上を駆動することを可能にする１つ以上の装置又は符号化ソフトウェアドライバを含んでいてもよい。インタフェース２１７（及び／又は２２７）は、必要に応じて、１つ以上のインタフェース２１７（及び／又は２２７）を含んでいてもよい。
【００３５】
ここで、コンピュータ読み取り可能記憶媒体への言及は、１つ以上の有形のコンピュータ読み取り可能記憶媒体保有構造をも包含するものである。一例として、限定としてではなく、コンピュータ読み取り可能記憶媒体は、必要に応じて、半導体ベースあるいはその他の集積回路（ＩＣ）（例えば、フィールド・プログラマブル・ゲート・アレイ（ＦＰＧＡ）、又は特定用途向けＩＣ（ＡＳＩＣ）など）、ハードディスク、ＨＤＤ、ハイブリッド式ハードドライブ（ＨＨＤ）、光ディスク、光ディスクドライブ（ＯＤＤ）、磁気光ディスク、磁気光ドライブ、フロッピーディスク（登録商標）、フロッピーディスクドライブ（ＦＤＤ）、磁気テープ、ホログラフィック記憶媒体、ソリッドステートドライブ（ＳＳＤ）、ＲＡＭドライブ、セキュアデジタル（ＳＤ）カード、セキュアデジタルドライブ、フラッシュメモリカード、フラッシュメモリドライブ、若しくはその他の好適なコンピュータ読み取り可能記憶媒体、又はこれらの２つ以上の組み合わせを含み得る。
【００３６】
特定の実施形態は、任意の好適なストレージを実現する１つ以上のコンピュータ読み取り可能記憶媒体を含んでいてもよい。特定の実施形態において、コンピュータ読み取り可能記憶媒体は、必要に応じて、プロセッサ２１１（及び／又は２２１）の１つ以上の部分（例えば、１つ以上の内部レジスタ若しくはキャッシュなど）、メモリ２１３（及び／又は２２３）の１つ以上の部分、ストレージ２１５（及び／又は２２５）の１つ以上の部分、又はこれらの組み合わせを実現してもよい。特定の実施形態において、コンピュータ読み取り可能記憶媒体はＲＡＭ又はＲＯＭを実現する。特定の実施形態において、コンピュータ読み取り可能記憶媒体は揮発性あるいは永続的なメモリを実現する。特定の実施形態において、１つ以上のコンピュータ読み取り可能記憶媒体が符号化ソフトウェアを具現化する。
【００３７】
ここで、符号化ソフトウェアへの言及は適宜、コンピュータ読み取り可能記憶媒体に格納あるいは符号化されている、１つ以上のアプリケーション、バイトコード、１つ以上のコンピュータプログラム、１つ以上の実行ファイル、１つ以上の命令、ロジック、機械語、１つ以上のスクリプト、又はソースコードを包含するものであり、この逆もまた然りである。特定の実施形態において、符号化ソフトウェアは、コンピュータ読み取り可能記憶媒体に格納あるいは符号化された１つ以上のアプリケーション・プログラミング・インタフェース（ＡＰＩ）を含む。特定の実施形態は、如何なる好適な種類又は数のコンピュータ読み取り可能記憶媒体に格納あるいは符号化された、如何なる好適なプログラミング言語又は複数のプログラミング言語の組み合わせで書き込まれ、あるいはその他の方法で表現された、如何なる好適な符号化ソフトウェアを用いてもよい。特定の実施形態において、符号化ソフトウェアは、ソースコード又はオブジェクトコードとして表現され得る。特定の実施形態において、符号化ソフトウェアは、例えばＣ、Ｐｅｒｌ又はこれらの好適な拡張版など、より高級（高水準）なプログラミング言語で表現される。特定の実施形態において、符号化ソフトウェアは、例えばアセンブリ言語（又は機械語）など、より低水準のプログラミング言語で表現される。特定の実施形態において、符号化ソフトウェアはＪＡＶＡ（登録商標）で表現される。特定の実施形態において、符号化ソフトウェアはハイパーテキスト・マークアップ言語（ＨＴＭＬ）、拡張マークアップ言語（ＸＭＬ）、又はその他の好適なマークアップ言語で表現される。
【００３８】
図２に示した構成要素及び装置は分散アンテナシステム２００を形成する。１つのエンドポイントから見ると、分散アンテナシステム２００を、分割された単一の基地局として考えることが好都合であることがある。エンドポイントは、リモートトランシーバによって送信された無線伝送と、基地局によって送信された無線伝送とを区別できなくてもよい。エンドポイントによって経験されるチャネルは、複数のリモートトランシーバ２２０の各々からのチャネル応答の和である。
【００３９】
特定の実施形態において、基地局２１０はＣＰＲＩ（Common  Public  Radio  Interface）を用いてリモートトランシーバ２２０と通信し得る。ＣＰＲＩ仕様は、複数のリモートトランシーバ２２０が同一の基地局２１０によって制御される多様なトポロジーをサポートしている。多様なトポロジーは、リング型、ツリー型、スター型及びチェイン型のトポロジーを含む。一部の実施形態において、ＣＰＲＩリンクは、各々異なるリモートトランシーバ２２０へ／から異なる同相／直交（Ｉ／Ｑ）データを送信／受信するために、基地局２１０によって使用され得る。例えば、一部の実施形態において、基地局２１０が電力分配をローカルに適用し得る。これは、各リモートトランシーバがそれ自身の固有のＩ／Ｑサンプルを必要とする結果となる。特定の実施形態において、ＣＰＲＩリンクは、リモートトランシーバ２２０から単一組のＩ／Ｑサンプルを送信／受信するために用いられてもよい。例えば、一部の実施形態において、電力分配は各リモートトランシーバで個別に適用されてもよい。これは、単一のＩ／Ｑサンプルが全てのリモートトランシーバ２２０によって使用されることを可能にし得る。電力分配における、複数の異なるリモートトランシーバ２２０での複数の異なる副搬送波へのパワーの割当ては、各リモートトランシーバ２２０での各エンドポイントに関連するチャネル応答情報に基づき得る。特定の実施形態において、基地局２１０は、各リモートトランシーバにおいて一層良好なチャネル品質を有するエンドポイントに一層大きいパワーを割り当て得る。実施形態に応じて、経路損失、シャドウイング及びマルチパスという少なくとも３つの要素が、チャネル応答を決定するために使用され得る。経路損失は、シャドウイング効果及びマルチパス効果（これらはランダム過程であることが多い）と対比して、チャネル応答における最も支配的な成分である。経路損失は、エンドポイントとリモートトランシーバとの間の距離の関数となり得る。エンドポイントが特定のリモートトランシーバに近いほど、該エンドポイントと該リモートトランシーバとの間でのチャネル利得は高くなる。分散アンテナシステム２００において、エンドポイントと各リモートトランシーバ２２０との間の距離の変化は、リモートトランシーバ２２０と特定のエンドポイントとの間での経路損失及びチャネル利得の変化を生じさせ得る。
【００４０】
特定の実施形態において、エンドポイントがリモートトランシーバに近いほど、該エンドポイントに関連付けられた副搬送波に割り当てられるパワーが大きくされる。逆に、エンドポイントがリモートトランシーバから遠いほど、該エンドポイントに関連付けられた副搬送波に割り当てられるパワーが小さくされる。これは、各リモートトランシーバ２２０が自身の利用可能な送信電力をより効率的に使用することを可能にし得る。複数の異なる副搬送波への不均等な電力分配は、より遠いリモートトランシーバからの信号強度の損失を低減されたパワーによって有意でないものとしながら、より近いリモートトランシーバ２２０からの受信信号強度を増大させることによって、エンドポイントにおける信号対干渉＋雑音比（Signal  to  Interference-plus-Noise  Ratio；ＳＩＮＲ）を高め得る。
【００４１】
特定の実施形態において、各リモートトランシーバ２２０は、各エンドポイントに割り当てられた副搬送波の平均受信パワーを測定し得る。この情報は、その後、ＣＰＲＩ制御チャネル上で基地局２１０に届けられ得る。基地局２１０は、測定されたアップリンクパワーを用いて、各リモートトランシーバ２２０とエンドポイントとの間でのダウンリンクチャネル応答を見積もり得る。この見積もりは、基地局２１０によって、基地局２１０がその後にＣＰＲＩ制御チャネルを用いてリモートトランシーバ２２０に送信する電力分配を決定するために使用され得る。
【００４２】
一部の実施形態において、各リモートトランシーバ２２０は、自身のＩ／Ｑデータを、上流のリモートトランシーバから受信したＩ／Ｑデータとともに送信し得る。基地局２１０は、個々のＩ／Ｑサンプルを用いて、エンドポイントにおける受信ダウンリンクパワー（例えば、決定されたアップリンクパワーに比例し得る）を見積もり得る。この見積もられたパワーを用いて、基地局２１０は、ダウンロード信号に対する増幅又は減衰の量の決定及び適用を行い得る。これは、ダウンロード信号の位相を調整することなく行われ得る。そして、増幅されたデータが、個々のＩ／Ｑデータとしてリモートトランシーバ２２０に送信され得る。
【００４３】
特定の実施形態において、基地局２１０は、電力分配を割り当てる前に、先ず、チャネル内の副搬送波群を複数の異なるエンドポイントに割り当てるために、スケジューリングアルゴリズムを実行する。副搬送波群の割当てが完了すると、基地局２１０は、リモートトランシーバ２２０から受信した測定されたアップリンクパワーを用いて、システム容量（キャパシティ）を最大化するようにダウンリンクパワーを再分配し得る。実施形態及び／又は状況に応じて、基地局２１０は多様な方策のうちの何れかを用いて電力分配を適用し得る。例えば、基地局２１０は、最大比合成（Maximum  Ratio  Combination；ＭＲＣ）と同様の方策を用い得る。その場合、特定のリモートトランシーバ（例えば、リモートトランシーバ２２０ａ）における副搬送波の割当てダウンリンクパワーは、同一の特定のリモートトランシーバ（例えば、リモートトランシーバ２２０ａ）で測定された同一の副搬送波のアップリンクチャネル利得に比例するようにされる。他の一例として、基地局２１０は、例えば：
【数１】
2011188497.tif 000003
などの最適化問題を解くことによってシステム容量を最大化してもよい。
【００４４】
この最適化の式において、（１）Ｓｕは、ｕ番目のエンドポイントに割り当てられた副搬送波の数を表し；（２）Ｇｒ，ｕ（＝ｇｒ，ｕ２）は、ｕ番目のエンドポイントに割り当てられた全ての副搬送波に対する、ｒ番目のリモートトランシーバにおける共通の電力増幅率の２乗を表し；（３）Ｐｒ，ｕＵＬは、ｒ番目のリモートトランシーバにおいてｕ番目のエンドポイントに割り当てられた１つの副搬送波の受信アップリンクパワーの平均値を表し；（４）ｃは、ダウンリンク接続の送信アンテナ利得とアップリンク接続の受信アンテナ利得との間の差を校正するために使用される定数を表し；（５）ＮＴは、各リモートトランシーバにおける送信アンテナの数を表し；（６）ＮＲは、セル内の基地局によって制御されるリモートトランシーバの数を表し；（７）ＮＭＳは、１つの送信タイミングインターバル（ＴＴＩ）内でスケジュールされるエンドポイントの数を表し；（８）σｎ２は、副搬送波当たりの雑音電力の分散を表し；（９）Ｎは、チャネル内の副搬送波の数と同一としてもよい、チャネル内のＦＦＴ（高速フーリエ変換）の点の数を表し；（１０）ｌｏｇ関数の項であるｌｎ（・）は、ｕ番目のエンドポイントにおける副搬送波当たりで見積もられた平均容量を表す。上記式内の記号の殆どは既知のパラメータであり、Ｇｒ，ｕ（ｒ＝１，・・・，ＮＲ、ｕ＝１，・・・，ＮＭＳ）が上記式における変数である。
【００４５】
上記式の目的関数は、総システム容量を最大化することである。システム容量は、基地局２１０に接続される全てのエンドポイントの見積もり容量の和に基づき得る。第１の組の制約関数により、各リモートトランシーバにおける総送信パワーは、最大送信パワーＰＴ以下に制限される。この制約関数は、不等式：
【数２】
2011188497.tif 000004
から得られる。ただし、Ｐｒ，ｋＴＸは、電力増幅処理の前の、ｒ番目のエンドポイントのｋ番目の副搬送波に割り当てられるパワーである。電力増幅処理の前は全ての副搬送波が等しいパワーを有するので、Ｐｒ，ｋＴＸはＰＴ／Ｎと表され得る。また、特定の実施形態において、同一のエンドポイントに割り当てられる複数の異なる副搬送波の電力増幅利得は同一に設定され得る。これは、上記不等式が最適化問題における上記制約関数へと単純化されることを可能にする。第２の組の制約関数により、正又はゼロの電力増幅利得が最適化問題から計算されることが保証される。
【００４６】
各リモートトランシーバ２２０における様々な副搬送波にダウンリンクパワーをどのように割り当てるかを基地局２１０が決定すると、基地局２１０又はリモートトランシーバ２２０の何れかにて電力分配が適用され得る。例えば、一部の実施形態において、基地局２１０は、電力分配によって変更されたパワーコアデータを含む各リモートトランシーバ２２０用のＩ／Ｑデータを生成し得る（これは、基地局２１０が逆離散フーリエ変換（ＩＤＦＴ）処理を実行する前に周波数ドメインで行われ得る）。これは、各リモートトランシーバの総電力がその能力を超えないように、（ＩＤＦＴ前の）周波数ドメインのデータを比例的に増大あるいは低減し得る。
【００４７】
一部の実施形態において、基地局２１０はリモートトランシーバ２２０から、結合されたアップリンク信号を受信する。例えば、リモートトランシーバ２２０ｃは、その受信アップリンク信号をリモートトランシーバ２２０ｂに送信し得る。リモートトランシーバ２２０ｂは、それ自身の受信アップリンク信号を、リモートトランシーバ２２０ｃからのアップリンク信号と結合し得る。その後、結合されたアップリンク信号がリモートトランシーバ２２０ａに送信され、リモートトランシーバ２２０ａはそれ自身の受信アップリンク信号を加算し得る。そして、３つ全てのリモートトランシーバからの結合されたアップリンク信号が基地局２１０に送信される。従って、基地局２１０は、各リモートトランシーバ２２０から個別のＩ／Ｑサンプルを受信するのではなく、１つの結合されたアップリンクＩ／Ｑサンプルのみを受信すればよい。
【００４８】
特定の実施形態において、基地局２１０は、最大比合成（ＭＲＣ）法を介してアップリンク容量を増大させ得る。これは、部分的に、各エンドポイントに割り当てられた副搬送波の受信信号パワーを決定することによって達成され得る。基地局２１０は更に、複数のリモートトランシーバ２２０の各々から送られた各Ｉ／Ｑサンプルを処理する際にＭＲＣを用いてもよい。これは、複数のリモートトランシーバ２２０の複数の受信エンティティに関するアレイ利得を向上させ得る。
【００４９】
特定の実施形態において、基地局２１０は、逆高速フーリエ変換（ＩＦＦＴ）が適用される前に、コアデータ：
【数３】
2011188497.tif 000005
に電力分散を適用してもよい。電力増幅及びＩＦＦＴは何れも、基地局２１０にてローカルに行われ得る。これは、基地局２１０が各リモートトランシーバ２２０に異なるＩ／Ｑデータを送信することをもたらし得る。これは、ＣＰＲＩリンクのデータ速度を高め得る。しかしながら、各リモートトランシーバ２２０に固有の相異なるＩ／Ｑデータが基地局２１０により送信されているため、基地局２１０からの電力分配に基づいてパワー調整を為し得るようにリモートトランシーバを変更する必要なく、標準的なリモートトランシーバを使用することが可能である。特定の実施形態において、ＭＲＣ、電力増幅の決定、（リモートトランシーバから受信されたＩ／Ｑサンプルを処理するための）ＦＦＴ、及び（リモートトランシーバに送信されるべきＩ／Ｑサンプルを処理するための）ＩＦＦＴは、それぞれのタスクに合わせて特別に設計された別々のモジュールによって実行され得る。一部の実施形態において、これらの機能のうちの１つ以上は、プロセッサ２１１、メモリ２１３、ストレージ２１５、バス２１２及びインタフェース２１７のうちの１つ以上の組み合わせによって実行されてもよい。
【００５０】
特定の実施形態において、各リモートトランシーバ２２０はローカルに電力分配を適用し且つＩＦＦＴを実行し得る。これは、基地局２１０が各リモートトランシーバ２２０に同一（周波数ドメイン）データを送信することを可能にする。これは、ＣＰＲＩリンクに必要とされるデータ速度を低減し得る。特定の実施形態において、基地局２１０はまた、周波数ドメインＩ／Ｑデータに加えて、ダウンリンクスケジューリング情報（例えば、その送信タイムインターバル（ＴＴＩ）において各エンドポイントに割り当てられたサブチャネル／副搬送波の組）、及び各エンドポイント用の電力分配を送信し得る。特定の実施形態において、双方の情報断片群がＣＰＲＩ制御セッションで運ばれてもよい。電力増幅利得及びスケジューリング情報の双方のデータ量は、Ｉ／Ｑデータと比較して遙かに少ない。
【００５１】
特定の実施形態において、各リモートトランシーバ２２０は、それ自身のＩ／Ｑデータを、上流のリモートトランシーバ２２０から受信したＩ／Ｑデータと結合し得る。そして、結合されたＩ／Ｑデータが、下流（基地局２１０の方向）にある次のリモートトランシーバに渡される。基地局２１０は、複数のリモートトランシーバ２２０の各々からのＩ／Ｑデータの結合に基づく単一組のＩ／Ｑデータのみを受信するので、電力増幅の分配を決定するために、受信Ｉ／Ｑデータを用いることができない。しかしながら、特定の実施形態において、リモートトランシーバ２２０は、個々のエンドポイントからの平均受信パワーを計算し、この情報をＣＰＲＩ制御信号により基地局２１０に送信し得る。一部の実施形態において、エンドポイントからの受信パワーを計算することは、基地局２１０からのスケジューリング情報を用いることを含み得る。特定の実施形態において、各リモートトランシーバ２２０においてＦＦＴ処理が実行され、それにより、ＦＦＴを実行するタスクから基地局２１０を解放し得る。一部の実施形態において、リモートトランシーバ２２０は、ＦＦＴが行われた後に平均受信パワーを計算し得る。特定の実施形態において、リモートトランシーバ２２０は、平均受信パワーを計算し且つ／或いはＦＦＴを実行する１つ以上の別個のハードウェアモジュールを有し得る。特定の実施形態において、これらのタスクは、プロセッサ２２１、メモリ２２３、ストレージ２２５及び／又はインタフェース２２７の組み合わせによって実行されてもよい。
【００５２】
ここまで、幾つかの異なる実施形態及び特徴を説明してきた。特定の実施形態は、動作上の必要性及び／又は構成要素上の制約に応じて、これらの特徴のうちの１つ以上を組み合わせてもよい。これは、様々な組織及びユーザのニーズに対する分散アンテナシステム２００の大いなる適応性をもたらし得る。一部の実施形態は更なる特徴を含んでいてもよい。
【００５３】
図３は、特定の一実施形態に係る電力分配を実行する方法を例示している。簡単にするため、図示した実施形態に係る方法のステップ群は、基地局の視点からのものである。基地局は、分散アンテナシステム内の複数のリモートトランシーバを管理する責任を負っている。
【００５４】
この方法はステップ３１０で開始し、該ステップにて、基地局と複数のリモートトランシーバとの間の接続が構築される。一部の実施形態において、基地局と複数のリモートトランシーバとの間の接続はＣＰＲＩ接続を有し得る。特定の実施形態において、複数のリモートトランシーバは、カスケード型のトポロジーで配置される。カスケード型トポロジーは、データ及び／又は通信が複数のリモートトランシーバの各々を通過することによって端から端まで中継されることを可能にする。他の実施形態において、複数のリモートトランシーバは、スター型、ツリー型又はリング型のトポロジーで配置されてもよい。
【００５５】
ステップ３２０にて、複数のエンドポイントとの複数の無線接続が構築される。無線接続は、複数のリモートトランシーバのうちの１つ以上を介して構築される。各エンドポイントからは、各エンドポイントに単一の基地局との単一の無線接続が構築されているように見えるが、実際には、各エンドポイントは複数のリモートトランシーバとの間で通信の送信及び受信を行い得る。エンドポイントは、複数のリモートトランシーバから複数の無線信号を受信すると、無線信号からコアデータを得るために様々な技術を実行し得る。例えば、一部の実施形態において、エンドポイントは２つ以上のリモートトランシーバからの２つ以上の無線信号（各無線信号は同一のコアデータを有する）を結合し得る。
【００５６】
ステップ３３０にて、複数のリモートトランシーバの各々から信号品質を指し示す信号品質インジケーションが受信される。各信号品質インジケーションは、それぞれのリモートトランシーバとそれぞれのエンドポイントとの間の無線接続の相対的な品質、強度及び／又は効率を基地局が決定する基となる情報を有し得る。例えば、特定のリモートトランシーバが２つのエンドポイントから信号を受信することができる場合、該特定のリモートトランシーバから送信される信号品質インジケーションは、これら２つのエンドポイントとの無線接続の相対的な品質、強度及び／又は効率に関する情報を含み得る。
【００５７】
ステップ３４０にて、複数のリモートトランシーバの各々から受信した信号品質インジケーションを用いて、最大比合成（ＭＲＣ）が実行される。ＭＲＣは、複数のリモートトランシーバの各々から受信したデータを結合し、それぞれのエンドポイントから送信されたコアデータを得るために、基地局によって使用され得る。ＭＲＣは、基地局が（エンドポイントから基地局への）アップリンク通信に利用可能なリソースを一層効率的に使用することを可能にする。これは、故に、アップリンク容量の増大を可能にする。
【００５８】
ステップ３５０にて、複数のリモートトランシーバに関して電力分配が決定される。電力分配は、少なくとも部分的に、複数のリモートトランシーバの各々から受信した信号品質インジケーションに基づき得る。電力分配は、各リモートトランシーバが各エンドポイントに無線通信を送信するときに使用すべき増幅量を決定する。特定の実施形態において、リモートトランシーバとエンドポイントとの間での信号品質が良好（例えば、強い、クリア、効率的）なほど、該リモートトランシーバは該エンドポイントと通信するために、より大きい量の電力を使用することになる。逆に、無線信号が劣悪であるほど、該リモートトランシーバは該エンドポイントと通信するために、より低い電力を使用することになる。
【００５９】
特定の実施形態において、各リモートトランシーバが複数のエンドポイント間でどのように電力を割り当てるべきかを基地局が決定すると、基地局は、コアデータに電力分配を適用し得る。便宜上、コアデータに電力分配を適用した結果を増幅データと呼ぶ。
【００６０】
ステップ３６０にて、増幅データ上で逆高速フーリエ変換が実行される。得られる変換データは、コアデータが同一であっても、リモートトランシーバごとに異なり得る。その差異は、電力分配に基づいてリモートトランシーバごとに異なる量でコアデータが増幅あるいは減衰されることの結果として生じる。
【００６１】
ステップ３７０にて、複数のＣＰＲＩ（Common  Public  Radio  Interface）メッセージが生成される。各ＣＰＲＩメッセージは宛先アドレスを含み得る。特定の実施形態において、各ＣＰＲＩメッセージは複数のリモートトランシーバのうちの異なる１つに送信される。ＣＰＲＩメッセージの各々に、複数のエンドポイントの各々に関する上記変換データが投入される。各リモートトランシーバが、決定された電力分配に基づいて調整された自身のパワーを有するので、各リモートトランシーバは自身に特有の上記変換データを有するＣＰＲＩメッセージを受信する。ＣＰＲＩメッセージが生成されると、ステップ３８０にて、複数のリモートトランシーバの各々にＣＰＲＩメッセージが送信される。
【００６２】
図３に示したステップ群の一部は必要に応じて、結合、変更あるいは省略されてもよく、また、更なるステップがフローチャートに追加されてもよい。さらに、ステップ群は、特定の実施形態の範囲を逸脱することなく、如何なる好適な順序でも実行され得る。
【００６３】
複数の実施形態に関して様々な実現例及び特徴を説明したが、理解されるべきことには、これらの実現例及び特徴は様々な実施形態において組み合わされ得るものである。例えば、動作上のニーズ又は要求に従って、例えば図２など、特定の図に関連して説明された特徴及び機能が、例えば図１など、その他の図に関して説明された特徴及び機能とともに用いられてもよい。
【００６４】
特定の実施形態について詳述したが、理解されるべきことには、特定の実施形態の精神及び範囲を逸脱することなく、様々なその他の変形、代用及び改変がそれらの実施形態に為され得る。例えば、分散アンテナシステム内に含まれる例えばエンドポイント、基地局及びリモートトランシーバなどの多数の要素を参照して実施形態を説明したが、これらの要素は、特定のルーティング技術又はニーズに対応するように結合、再配置あるいは位置決めされてもよい。さらに、必要に応じて、これらの要素の何れかが、分散アンテナシステム１００とは別個の、あるいは互いに別個の、外部構成要素として実現されてもよい。特定の実施形態は、これらの要素及びその内部要素の構成に多大なる柔軟性を意図するものである。
【００６５】
数多くのその他の変更、代用、変形、改変及び改良が当業者によって想到され得るが、特定の実施形態は、添付の請求項の精神及び範囲に入る全てのそのような変更、代用、変形、改変及び改良を包含するものである。
【００６６】
以上の説明に関し、更に以下の付記を開示する。
（付記１）
基地局と複数のリモートトランシーバとの間に接続を構築するステップと、
前記複数のリモートトランシーバのうちの１つ以上を介して、複数のエンドポイントとの複数の無線接続を構築するステップと、
前記複数のリモートトランシーバの各々に関して、該リモートトランシーバが無線信号を受信することができるエンドポイントごとに信号品質インジケーションを決定するステップと、
前記複数のリモートトランシーバの各々に関して決定された信号品質インジケーションに基づいて、前記複数のリモートトランシーバに関する電力分配を決定するステップであり、該電力分配は、各リモートトランシーバが無線通信を送信するときに各エンドポイントに対して使用すべき電力量を表す、ステップと、
を有する電力分配を調整する方法。
（付記２）
前記基地局と前記複数のリモートトランシーバとの間に前記接続を構築するステップは、前記基地局と前記複数のリモートトランシーバとの間にＣＰＲＩ接続を構築することを有する、付記１に記載の方法。
（付記３）
前記複数のエンドポイントに送信されるべきデータを有するコアデータに前記電力分配を適用することによって、増幅されたデータセットを生成するステップと、
前記増幅されたデータセット上で逆高速フーリエ変換を実行するステップと、
を更に有する付記１又は２に記載の方法。
（付記４）
前記電力分配を決定するステップは、相対的に良好な信号品質インジケーションを有する無線接続に対して電力の分配を増大することと、相対的に劣悪な信号品質インジケーションを有する無線接続に対して電力の分配を低減することとを有する、付記１乃至３の何れか一に記載の方法。
（付記５）
前記複数のリモートトランシーバの各々から、前記信号品質インジケーションを決定するために使用される同相／直交（Ｉ／Ｑ）データを受信するステップと、
前記Ｉ／Ｑデータに最大比合成（ＭＲＣ）を適用して、前記複数のエンドポイントから送信されたコアデータを決定するステップと、
を更に有する付記１乃至４の何れか一に記載の方法。
（付記６）
前記複数のリモートトランシーバの各々に関して：
前記複数のリモートトランシーバに送信されるべき複数のＣＰＲＩメッセージを生成するステップであり、各ＣＰＲＩメッセージが前記複数のリモートトランシーバのうちの異なる１つに関連付けられるステップと、
前記複数のエンドポイントに送信されるべきデータが前記決定された信号品質インジケーションに基づいて調整されたものとなるように、前記ＣＰＲＩメッセージにデータ投入するステップと、
前記複数のリモートトランシーバの各々に前記ＣＰＲＩメッセージを送信するステップと、
を更に有する付記１乃至５の何れか一に記載の方法。
（付記７）
ソフトウェアを格納したコンピュータ読み取り可能記憶媒体であって、前記ソフトウェアは、プロセッサによって実行されるときにプロセッサに：
基地局と複数のリモートトランシーバとの間に接続を構築させ、
前記複数のリモートトランシーバのうちの１つ以上を介して、複数のエンドポイントとの複数の無線接続を構築させ、
前記複数のリモートトランシーバの各々に関して、該リモートトランシーバが無線信号を受信することができるエンドポイントごとに信号品質インジケーションを決定させ、且つ
前記複数のリモートトランシーバの各々に関して決定された信号品質インジケーションに基づいて、前記複数のリモートトランシーバに関する電力分配を決定させ、該電力分配は、各リモートトランシーバが無線通信を送信するときに各エンドポイントに対して使用すべき電力量を表す、
コンピュータ読み取り可能記憶媒体。
（付記８）
前記基地局と前記複数のリモートトランシーバとの間に前記接続を構築させることは、前記基地局と前記複数のリモートトランシーバとの間にＣＰＲＩ接続を構築させることを有する、付記７に記載のコンピュータ読み取り可能記憶媒体。
（付記９）
前記ソフトウェアは実行されたときにプロセッサに更に：
前記複数のエンドポイントに送信されるべきデータを有するコアデータに前記電力分配を適用することによって、増幅されたデータセットを生成させ、且つ
前記増幅されたデータセット上で逆高速フーリエ変換を実行させる、
付記７又は８に記載のコンピュータ読み取り可能記憶媒体。
（付記１０）
前記電力分配を決定させることは、相対的に良好な信号品質インジケーションを有する無線接続に対して電力の分配を増大することと、相対的に劣悪な信号品質インジケーションを有する無線接続に対して電力の分配を低減することとを有する、付記７乃至９の何れか一に記載のコンピュータ読み取り可能記憶媒体。
（付記１１）
前記ソフトウェアは実行されたときにプロセッサに更に：
前記複数のリモートトランシーバの各々から、前記信号品質インジケーションを決定するために使用される同相／直交（Ｉ／Ｑ）データを受信させ、且つ
前記Ｉ／Ｑデータに最大比合成（ＭＲＣ）を適用して、前記複数のエンドポイントから送信されたコアデータを決定させる、
付記７乃至１０の何れか一に記載のコンピュータ読み取り可能記憶媒体。
（付記１２）
前記ソフトウェアは実行されたときにプロセッサに更に、前記複数のリモートトランシーバの各々に関して：
前記複数のリモートトランシーバに送信されるべき複数のＣＰＲＩメッセージを生成させ、各ＣＰＲＩメッセージは前記複数のリモートトランシーバのうちの異なる１つに関連付けられ、
前記複数のエンドポイントに送信されるべきデータが前記決定された信号品質インジケーションに基づいて調整されたものとなるように、前記ＣＰＲＩメッセージへデータ投入させ、
前記複数のリモートトランシーバの各々へと前記ＣＰＲＩメッセージを送信させる、
を更に有する付記７乃至１１の何れか一に記載のコンピュータ読み取り可能記憶媒体。
（付記１３）
インタフェースと、
前記インタフェースに結合されたプロセッサと、
を有する電力分配を調整するシステムであって：
前記インタフェースは：
基地局と複数のリモートトランシーバとの間に接続を構築し、且つ
前記複数のリモートトランシーバのうちの１つ以上を介して、複数のエンドポイントとの複数の無線接続を構築するように構成され、
前記プロセッサは：
前記複数のリモートトランシーバの各々に関して、該リモートトランシーバが無線信号を受信することができるエンドポイントごとに信号品質インジケーションを決定し、且つ
前記複数のリモートトランシーバの各々に関して決定された信号品質インジケーションに基づいて、前記複数のリモートトランシーバに関する電力分配を決定するように構成され、
前記電力分配は、各リモートトランシーバが無線通信を送信するときに各エンドポイントに対して使用すべき電力量を表す、
システム。
（付記１４）
前記基地局と前記複数のリモートトランシーバとの間に前記接続を構築するように構成された前記インタフェースは、前記基地局と前記複数のリモートトランシーバとの間にＣＰＲＩ接続を構築するように構成されたインタフェースを有する、付記１３に記載のシステム。
（付記１５）
前記プロセッサは更に、
前記複数のエンドポイントに送信されるべきデータを有するコアデータに前記電力分配を適用することによって、増幅されたデータセットを生成し、且つ
前記増幅されたデータセット上で逆高速フーリエ変換を実行する
ように構成される、付記１３又は１４に記載のシステム。
（付記１６）
前記電力分配を決定するように構成された前記プロセッサは、相対的に良好な信号品質インジケーションを有する無線接続に対して電力の分配を増大し、且つ相対的に劣悪な信号品質インジケーションを有する無線接続に対して電力の分配を低減するように構成されたプロセッサを有する、付記１３乃至１５の何れか一に記載のシステム。
（付記１７）
前記プロセッサは更に、
前記複数のリモートトランシーバの各々から、前記信号品質インジケーションを決定するために使用される同相／直交（Ｉ／Ｑ）データを受信し、且つ
前記Ｉ／Ｑデータに最大比合成（ＭＲＣ）を適用して、前記複数のエンドポイントから送信されたコアデータを決定する
ように構成される、付記１３乃至１６の何れか一に記載のシステム。
（付記１８）
前記プロセッサは更に、前記複数のリモートトランシーバの各々に関して：
前記複数のリモートトランシーバに送信されるべき複数のＣＰＲＩメッセージを生成し、ここで、各ＣＰＲＩメッセージは前記複数のリモートトランシーバのうちの異なる１つに関連付けられ、
前記複数のエンドポイントに送信されるべきデータが前記決定された信号品質インジケーションに基づいて調整されたものとなるように、前記ＣＰＲＩメッセージにデータ投入し、且つ
前記複数のリモートトランシーバの各々に前記ＣＰＲＩメッセージを送信する
ように構成される、付記１３乃至１７の何れか一に記載のシステム。
【符号の説明】
【００６７】
１００、２００  分散アンテナシステム
１１０、２１０  基地局
１２０、２２０  リモートトランシーバ
１３０  ネットワーク
１４０  エンドポイント
２１１、２２１  プロセッサ
２１２、２２２  バス
２１３、２２３  メモリ
２１５、２２５  ストレージ
２１７、２２７  インタフェース
【図１】
2011188497.tif 000006
【図２】
2011188497.tif 000007
【図３】
2011188497.tif 000008